(57)【要約】【課題】従来の電力量計においては、電力量計単体で負荷配分の偏りや漏洩電流を診断して配電設備の予防保全を行うことは難しかった。【解決手段】ＣＴ１６ａで検出される負荷電流とＰＴ１７ａで検出される線間電圧とが１側電力量計測回路１８ａにおいて乗算されて瞬時電力が計算され、個別電力量が計測される。同様に、３側電力量計測回路１８ｂにおいてもＣＴ１６ｂで検出される負荷電流とＰＴ１７ｂで検出される線間電圧とから個別電力量が計測される。また、ＺＣＴ２０及び漏洩電流計測回路２１によって負荷側における漏洩電流が計測される。各相毎の個別電力量及び漏洩電流の計測データは外部通信機器２３へ送信され、外部通信機器２３において負荷側の絶縁劣化状況及び各相についての負荷配分の偏りなどが診断される。【選択図】  図３
2004286687.tif 000002
【特許請求の範囲】
【請求項１】
負荷電流を検出する電流検出手段と、負荷電圧を検出する電圧検出手段と、前記負荷電流と前記負荷電圧とから電力量を計測する電力量計測手段とを筐体内部に備えて構成される電力量計において、負荷側における漏洩電流を検出する漏洩電流検出手段を前記筐体内部に備え、前記電流検出手段は各相における負荷電流を個別に検出し、前記電圧検出手段は各線間電圧を個別に検出し、前記電力量計測手段は検出されたこれら負荷電流及び線間電圧から各相毎の個別電力量を計測することを特徴とする電力量計。
【請求項２】
前記各相毎の個別電力量及び前記漏洩電流の計測データを外部へ送信する通信手段を備えていることを特徴とする請求項１に記載の電力量計。
【請求項３】
時間を計時する時計回路と、前記計測データを記憶する記憶手段とを備え、前記漏洩電流検出手段は、前記時計回路から時間情報を取得して前記漏洩電流を所定時間間隔で計測し、この漏洩電流の計測データと計測時刻とを前記記憶手段に記憶し、前記電力量計測手段は、前記時計回路から時間情報を取得して前記個別電力量を所定時間間隔で計測し、この個別電力量の計測データと計測時刻とを前記記憶手段に記憶し、前記通信手段は、前記記憶手段に記憶された前記計測データ及び計測時刻を外部へ送信することを特徴とする請求項２に記載の電力量計。
【請求項４】
前記通信手段は、外部機器から送信要求信号を受信すると、前記計測データを前記外部機器へ送信することを特徴とする請求項２または請求項３に記載の電力量計。
【請求項５】
電力量計の取り外しを検出する交換用信号検出手段または電力量計の設置を検出する設置信号検出手段を備え、前記通信手段は、前記交換用信号検出手段によって検出された交換用信号または前記設置信号検出手段によって検出された設置信号を外部へ通知することを特徴とする請求項２から請求項４のいずれか１項に記載の電力量計。
【請求項６】
前記漏洩電流に基づいて判明される異常状態を検出する異常検出手段を備え、前記通信手段は、前記異常検出手段によって検出された異常信号を外部へ通知することを特徴とする請求項２から請求項５のいずれか１項に記載の電力量計。
【発明の詳細な説明】
【０００１】
【発明の属する技術分野】
本発明は、負荷電流と負荷電圧とから電力量を計測する電力量計測手段を備えて構成される電力量計に関するものである。
【０００２】
【従来の技術】
従来の低圧用電力量計は、消費電力量の計測及び表示のみ行っていた。このような電力量計が設置された需要家において過負荷電流が流れたとき、あるいは漏洩電流が発生したときには、電流制限器や漏電ブレーカが作動して電源が断たれることで事故防止が行われていた。
【０００３】
また、下記の特許文献１には、電力量計の電源側外部に複合型カレントトランス装置を接続して、これら電力量計と複合型カレントトランス装置とを１つのケース内にパッケージ化した低圧配電線情報測定装置が開示されている。複合型カレントトランス装置は、第１，第２のカレントトランス（ＣＴ）及び零相変流器（ＺＣＴ）を備えており、第１，第２のＣＴによって第１，第２の各相を流れる負荷電流を計測し、ＺＣＴによって漏洩電流を計測する。計測した負荷電流や漏洩電流は直流信号に変換して外部へ伝送する。
【０００４】
また、下記の特許文献２には、電力量計の電源側の外部にＣＴ及びＺＣＴが配設され、電力量計の監視及び遠隔計測を行う低圧配電設備監視計測システムが開示されている。このシステムでも、ＣＴによって各相の負荷電流が計測され、ＺＣＴによって漏洩電流が計測される。これらの計測データは、伝送用中継装置を介して、営業所に設置されている中央処理装置へ送信される。中央処理装置は、配電設備が単相３線式の場合、一方の線間電圧の計測値が８０［Ｖ］以下になると欠相状態を検出する。
【０００５】
【特許文献１】
特開２０００−８８８９０号公報（段落［００２８］〜［００３６］参照）
【特許文献２】
特開２０００−７８７１６号公報（段落［００２３］〜［００２６］参照）
【０００６】
【発明が解決しようとする課題】
しかしながら、従来の低圧用電力量計は、消費電力量の計測及び表示を行うだけで配電設備の予防保全に関しての機能を持っていない。このため、電流制限器や漏電ブレーカを接続して配電設備の予防保全を従来行っていたが、電流制限器や漏電ブレーカは、一定値以上の過負荷電流や漏洩電流が実際に発生しないと作動しないため、火災や感電といった重大な事故につながる危険性があった。また、漏洩電流の計測は定期的に人手によって行われていたが、各計測時点での漏洩電流の大きさしか見ていないため、このような漏洩電流の計測によって配電設備の絶縁劣化を予防保全することは従来困難であった。
【０００７】
また、特許文献１に開示された低圧配電線情報測定装置は、既存の電力量計に複合型カレントトランスを接続することで漏洩電流及び負荷電流を遠隔計測出来るようにするものであるが、これらをケース内にパッケージ化して設置するため大型化し、大きな設置スペースを設けなければならず、設置できなかったり、設置工事に手間を要した。また、電力量計の他に複合型カレントトランスについてのメンテナンスが新たに必要となる。
【０００８】
また、特許文献２に開示された低圧配電設備監視計測システムは、電力量計の電源側において電力量計とは別にＣＴやＺＣＴを接続しなければならず、設置工事に手間を要した。また、これらＣＴやＺＣＴについてのメンテナンスも必要とされる。また、各相の欠相状態を検出することはできるが、特定の相にかかる負荷が大きくなって特定の相に大きな電流が定常的に流れた場合、負荷配分が偏り、電力供給効率の低下や配電設備の劣化を進める原因になる。
【０００９】
【課題を解決するための手段】
本発明はこのような課題を解決するためになされたもので、負荷電流を検出する電流検出手段と、負荷電圧を検出する電圧検出手段と、負荷電流と負荷電圧とから電力量を計測する電力量計測手段とを筐体内部に備えて構成される電力量計において、負荷側における漏洩電流を検出する漏洩電流検出手段を筐体内部に備え、電流検出手段は各相における負荷電流を個別に検出し、電圧検出手段は各線間電圧を個別に検出し、電力量計測手段は検出されたこれら負荷電流及び線間電圧から各相毎の個別電力量を計測することを特徴とする。
【００１０】
この構成によれば、電力量計内の漏洩電流検出手段によって負荷側における漏洩電流が検出され、電力量計内の電力量計測手段によって各相毎の個別電力量が計測される。
【００１１】
また、本発明は、各相毎の個別電力量及び漏洩電流の計測データを外部へ送信する通信手段を備えていることを特徴とする。
【００１２】
この構成によれば、電力量計は、電力量計内部で計測された個別電力量及び漏洩電流の計測データを外部へ送信することができる。
【００１３】
また、本発明は、時間を計時する時計回路と、計測データを記憶する記憶手段とを備え、漏洩電流検出手段が、時計回路から時間情報を取得して漏洩電流を所定時間間隔で計測し、この漏洩電流の計測データと計測時刻とを記憶手段に記憶し、電力量計測手段が、時計回路から時間情報を取得して個別電力量を所定時間間隔で計測し、この個別電力量の計測データと計測時刻とを記憶手段に記憶し、通信手段が、この記憶手段に記憶された計測データ及び計測時刻を外部へ送信することを特徴とする。
【００１４】
この構成によれば、所定時間間隔で計測された個別電力量及び漏洩電流の計測データが計測時刻と共に記憶手段に記憶され、この記憶手段に記憶された計測データが外部へ送信される。
【００１５】
また、本発明は、通信手段が、外部機器から送信要求信号を受信すると、計測データを外部機器へ送信することを特徴とする。
【００１６】
この構成によれば、外部からの送信要求に応じて計測データが外部機器へ送信される。
【００１７】
また、本発明は、電力量計の取り外しを検出する交換用信号検出手段または電力量計の設置を検出する設置信号検出手段を備え、通信手段が、交換用信号検出手段によって検出された交換用信号または設置信号検出手段によって検出された設置信号を外部へ通知することを特徴とする。
【００１８】
この構成によれば、電力量計が取り外されるとき、交換用信号検出手段によって交換用信号が検出され、この交換用信号が外部へ通知される。また、電力量計が設置されるとき、設置信号検出手段によって設置信号が検出され、この設置信号が外部へ通知される。
【００１９】
また、本発明は、漏洩電流に基づいて判明される異常状態を検出する異常検出手段を備え、通信手段が、異常検出手段によって検出された異常信号を外部へ通知することを特徴とする。
【００２０】
この構成によれば、漏洩電流に基づいて判明される異常状態が発生すると、異常検出手段によって異常信号が検出され、この異常信号が通信手段によって外部へ通知される。
【００２１】
【発明の実施の形態】
次に、本発明による電力量計の第１の実施形態について説明する。図１は、本発明の第１の実施形態による単相３線式の電力量計１が設置された需要家における分電盤の構成を示す概略図である。電力量計１の負荷側には電流制限器２及び漏電ブレーカ３が直列に配設されており、漏電ブレーカ３の負荷側には安全ブレーカ４ａ，４ｂ，４ｃを介して負荷５ａ，５ｂ，５ｃがそれぞれ接続されている。同図に示す配電設備において、負荷電流または漏洩電流の値が一定値以上になると、電流制限器２または漏電ブレーカ３が作動して、電源が断たれる。図２は、電力量計１の構成を示す概略図である。電力量計１は、その取り外し時以外は外部から触れられない端子カバー内部に、取り外し作業時に取り外す旨を電力量計１本体に伝える後述する信号線２７を備えている。
【００２２】
図３は、本発明の第１の実施形態による電力量計１の内部構成を示すブロック図である。電力量計１の電源側の電源端子１０，１１，１２にはそれぞれ１側電線Ｌ１，中性線Ｎ，３側電線Ｌ３が接続されている。また、負荷側の負荷端子１３，１４，１５には、同図で図示を省略した上記の電流制限器２及び漏電ブレーカ３を介してそれぞれ負荷５ａ，５ｂ，５ｃが接続されている。負荷５ａは１側電線Ｌ１及び中性線Ｎ間に接続されており、負荷５ｂは３側電線Ｌ３及び中性線Ｎ間、負荷５ｃは１側電線Ｌ１及び３側電線Ｌ３間に接続されている。
【００２３】
電力量計１内部の１側電線Ｌ１及び３側電線Ｌ３には、負荷電流を検出する電流検出手段としてカレントトランス（ＣＴ）１６ａ，１６ｂがそれぞれ設けられており、これらのＣＴ１６ａ，１６ｂによって各相における負荷電流が個別に検出される。また、１側電線Ｌ１と中性線Ｎとの間及び３側電線Ｌ３と中性線Ｎとの間には、負荷電圧である線間電圧を検出する電圧検出手段として電圧トランス（ＰＴ）１７ａ，１７ｂが設けられており、これらのＰＴ１７ａ，１７ｂによって１側電線Ｌ１・中性線Ｎ間及び３側電線Ｌ３・中性線Ｎ間の各線間電圧が個別に検出される。
【００２４】
ＣＴ１６ａで検出される負荷電流とＰＴ１７ａで検出される線間電圧とは、１側電力量計測回路１８ａにおいて乗算されて１側の相についての瞬時電力が計算される。同様に、ＣＴ１６ｂで検出される負荷電流とＰＴ１７ｂで検出される線間電圧とは、３側電力量計測回路１８ｂにおいて乗算されて３側の相についての瞬時電力が計算される。各電力量計測回路１８ａ，１８ｂによって計測された各相についての瞬時電力は、電力量計制御回路１９に送出されて所定の時間間隔（例えば３０分）で時間積分され、各相についての個別電力が計算される。この各電力量計測回路１８ａ，１８ｂ及び電力量計制御回路１９は、負荷電流と負荷電圧とから電力量を計測する電力量計測手段を構成している。
【００２５】
また、１側電線Ｌ１、中性線Ｎ及び３側電線Ｌ３は、負荷側における漏洩電流を検出する零相変流器（ＺＣＴ）２０を貫通しており、このＺＣＴ２０によって負荷側における漏洩電流が検出される。ＺＣＴ２０によって検出された漏洩電流は、漏洩電流計測回路２１において計測され、電力量計制御回路１９に送出される。このＺＣＴ２０及び漏洩電流計測回路２１は、負荷側における漏洩電流を検出する漏洩電流検出手段を構成している。
【００２６】
電力量計制御回路１９には通信処理回路２４が接続されており、この通信処理回路２４は、漏洩電流計測回路２１によって計測される漏洩電流及び各電力量計測回路１８ａ，１８ｂによって計測される各相毎の個別電力量などの計測データを、外部接続端子２２に接続された外部通信機器２３へ送信する。なお、この外部接続端子２２と外部通信機器２３とは、本実施形態においては有線による電力線搬送方式によって接続されている。しかし、需要家の条件が整備されれば、８０２．３あるいはＩＥＥＥ１３９４等の通信規格の有線方式や、８０２．１１ｂあるいは８０２．１１ｇ等の通信規格の無線方式や他の接続形態であっても構わないが、最も投資効率のよい通信路を選択するのが望ましい。この外部接続端子２２及び通信処理回路２４は、上記の各計測データを外部へ送信する通信手段を構成している。
【００２７】
また、電力量計制御回路１９には、時間を計時する時計回路２５、及び上記の各計測データを記憶する記憶装置２６が接続されている。この記憶装置２６は記憶手段を構成しており、停電時の計測データの喪失を防ぐため、電力量計１の電断時においても記憶内容を保持するフラッシュメモリあるいはＥＰＲＯＭ等の書き換え可能な不揮発性メモリから構成されている。なお、揮発性メモリであってもバッテリー等の補助電源でバックアップするようにしてもよい。
【００２８】
また、電力量計制御回路１９及び信号線２７は、電力量計１の取外しを検出する交換用信号検出手段を構成しており、交換用信号を検出すると、電力量計１が取り外されたことを外部通信機器２３に送信する。この交換用信号は、電力量計制御回路１９に接続された信号線２７を切断することによって生成される。また、電力量計制御回路１９は、電力量計１の設置を検出する設置信号検出手段をも構成しており、設置信号を検出すると、電力量計１が設置されたことを外部通信機器２３に送信する。
【００２９】
また、電力量計制御回路１９は、漏洩電流計測回路２１において計測される漏洩電流に基づいて判明される異常状態を検出する異常検出手段をも構成している。電力量計制御回路１９によって異常状態が検出されると、異常状態を通知する異常信号が外部接続端子２２を介して外部通信機器２３へ送信される。
【００３０】
漏洩電流計測回路２１及び電力量計制御回路１９は、時計回路２５から時間情報を取得して漏洩電流を所定時間間隔で計測し、この漏洩電流の計測データと計測時刻とを記憶装置２６に記憶する。また、電力量計制御回路１９は、時計回路２５から時間情報を取得して各相毎の個別電力量を所定時間間隔で計測し、この個別電力量の計測データと計測時刻とを記憶装置２６に記憶する。記憶装置２６に記憶された漏洩電流及び個別電力量の計測データは、電力量計制御回路１９の制御によって通信処理回路２４から外部通信機器２３へ送信される。
【００３１】
上記の構成において、各相の線電流がＣＴ１６ａ，１６ｂによって検出され、各線間電圧がＰＴ１７ａ，１７ｂによって検出される。検出された各線電流及び各線間電圧は１側電力量計測回路１８ａ，３側電力量計測回路１８ｂに入力され、各相についての個別瞬時電力が計算される。これらの個別瞬時電力は電力量計制御回路１９に与えられ、電力量計制御回路１９は時計回路２５からの時間情報に基づいて所定時間（例えば、３０分間）毎に各相の個別瞬時電力を積算して所定時間毎の個別電力量を各相について計算する。この個別電力量の計測データ及びその計測時刻は電力量計制御回路１９によって記憶装置２６に記憶される。また、負荷５ａ，５ｂ，５ｃに発生する漏洩電流はＺＣＴ２０で検出され、検出された漏洩電流は漏洩電流計測回路２１に入力されて計測される。電力量計制御回路１９は計測された漏洩電流を入力し、時計回路２５から時間情報を取得して、漏洩電流及びそれが検出された時刻を把握する。この漏洩電流の計測データ及びその計測時刻は上記の個別電力量のデータに付加され、電力量計制御回路１９によって記憶装置２６に記憶される。
【００３２】
電力量計制御回路１９は、通信処理回路２４を介して外部通信機器２３から所定の時間間隔（例えば１ヶ月に１度）で計測データの送信要求信号を受信すると、記憶装置２６に記憶されている上記の個別電力量及び漏洩電流についての計測データ及び計測時刻を読み出し、この読み出した計測データ及び計測時刻を通信処理回路２４を介して外部通信機器２３へ送信する。外部通信機器２３は受信した各計測データ及び計測時刻に基づいて負荷５ａ，５ｂ，５ｃの監視をする。
【００３３】
また、配電設備の絶縁劣化などによって一定レベル以上の漏洩電流が発生し、これが電力量計制御回路１９によって異常状態として検出されると、電力量計制御回路１９は外部通信機器２３に異常信号を送信する。異常信号を受信した外部通信機器２３は、例えば、電力量計１への電力供給を停止するなどの処置を行う。
【００３４】
図４は、電力量計１の定期的な交換作業時における、電力量計１と外部通信機器２３との間の通信処理動作を示す概略図であり、（ａ）は電力量計１の取り外し時、（ｂ）は電力量計１の設置時を示す。電力量計は定期的に交換を行う必要があり、一定期間を経過した電力量計は取り外されて新たな電力量計が設置される。
【００３５】
電力量計１を取り外す際、同図（ａ）に示すように、最初に端子カバー内部の信号線２７を切断する。取り外された電力量計１は修理あるいは試験を受ける必要があるため、信号線２７が切れていることで再使用の防止が可能となる。信号線２７は図３に示すように電力量計制御回路１９に接続されており、信号線２７が切断されると電力量計制御回路１９に検出されて電力量計制御回路１９によって交換用信号３０ａが生成される。この交換用信号３０ａは通信処理回路２４を介して外部通信機器２３へ送信され、交換用信号３０ａを受信した外部通信機器２３は、電力量計１が取り外されることを知る。続いて、電力量計制御回路１９により、電力量計１の記憶装置２６に記憶されている蓄積されたデータ３０ｂが外部通信機器２３へ送信され、外部通信機器２３は受信したデータ３０ｂをバックアップする。その後、電源端子１０，１１，１２及び負荷端子１３，１４，１５に接続されている各電線を取り外して、電力量計１を取り外す。
【００３６】
電力量計１を取り外した後に、新たに点検を受けた電力量計１を設置する場合、または新規に電力量計１を設置する場合、まず最初に、電力量計１の電源端子１０，１１，１２及び負荷端子１３，１４，１５に電線を接続する。この接続によって電力量計１に電源が投入されると、この電源投入が電力量計制御回路１９に検出され、電力量計制御回路１９により、同図（ｂ）に示すように、設置信号３０ｃが通信処理回路２４を介して外部通信機器２３へ送信される。設置信号３０ｃを受信した外部通信機器２３は、電力量計１が設置されたことを知り、続いて、電力量計１へ、計測データの積算間隔，現在時刻情報などの初期設定情報３０ｄを送信する。電力量計１は、受信した初期設定情報３０ｄを記憶装置２６に記憶し、電力量計制御回路１９は、この初期設定情報３０ｄに基づいて電力量計１の初期設定を行う。設置された電力量計１は、自らが設置された旨を記憶装置２６内に保持し、停電後の復電時と設置された時とを判別する。
【００３７】
このような本発明の第１の実施形態による電力量計１によれば、上述したように、電力量計１内のＺＣＴ２０及び漏洩電流計測回路２１によって負荷側における漏洩電流が検出され、電力量計１内の電力量計測回路１８ａ，１８ｂ及び電力量計制御回路１９によって各相毎の個別電力量が計測される。このため、電力量計１単体で漏洩電流及び各相毎の個別電力量の計測を行うことが出来、電力量計１単体で負荷５ａ，５ｂ，５ｃ側の絶縁劣化状況及び各相についての負荷配分の偏りを診断出来るようになる。また、従来のように、電力量計１の他に複合型カレントトランス装置といった新たな機器を設置する必要がないので、設置にかかる手間がなくなって工事費用は少なくて済むとともに、メンテナンスも電力量計１だけについて行えばよいのでその手間もかからなくなる。
【００３８】
また、本実施形態では、各相毎の個別電力量及び漏洩電流の計測データを外部へ送信する外部接続端子２２及び通信処理回路２４を備えているため、電力量計１は、電力量計１内部で計測された個別電力量及び漏洩電流の計測データを外部へ送信することができる。このため、外部に接続された外部通信機器２３において個別電力量及び漏洩電流を遠隔監視することが出来る。従って、外部通信機器２３において個別電力量や漏洩電流の推移を監視することにより、配電設備の絶縁劣化が進行する前に事前に対策を講じたり、負荷配分の偏りが定常的に生じて特定の相、例えばＬ１側の相についての配電設備に負荷が定常的にかかって劣化するのを事前に防止したりすることを容易に行うことが出来る。この結果、電力量計１の負荷側の配電設備の予防保全を行うことが可能となり、従って、例えば、劣化部の影響により、電子機器やシステムが突然停止して損害が生じるのを事前に防止したりすることができる。さらに、負荷配分の偏りから、負荷設備の適正配置を行うことにより、電力供給効率の改善を図ることが出来る。
【００３９】
また、従来は、電力量計の表示器に表示されている計測データを人手により取得しているが、本実施形態によれば、通信処理回路２４によって外部に計測データを取得することが出来るため、強いて表示器は必要とされない。
【００４０】
また、本実施形態では、３０分間隔で計測された漏洩電流及び個別電力量の計測データが計測時刻と共に記憶装置２６に記憶され、この記憶装置２６に記憶された計測データ及び計測時刻が外部通信機器２３へ送信される。このため、外部通信機器２３において各時間帯における計測データの推移を知ることができる。従って、各時間帯毎の負荷配分の偏りや、各時間帯毎の漏洩電流の大きさを知ることが出来、負荷配分の偏りや漏洩電流発生の原因を分析する資料とすることが出来る。
【００４１】
また、本実施形態では、外部通信機器２３からの送信要求に応じて計測データ及び計測時刻が外部通信機器２３へ送信される。このため、外部通信機器２３において、需要家の使用電力量を自動検針することが出来るとともに、併せて、需要家における個別電力量及び漏洩電流を監視することができる。
【００４２】
また、本実施形態では、電力量計１が取り外されるとき、電力量計制御回路１９及び信号線２７によって交換用信号３０ａが生成され、この交換用信号３０ａが外部通信機器２３へ通知される。このため、外部通信機器２３は電力量計１が取り外されることを知ることが出来る。従って、外部通信機器２３は、交換用信号３０ａを受信した際に電力量計１の記憶装置２６に記憶されている蓄積された計測データなどを受信することで、これをバックアップしておくことができる。また、電力量計１が設置されるとき、電力量計制御回路１９によって設置信号３０ｃが生成され、この設置信号３０ｃが外部通信機器２３へ通知される。このため、外部通信機器２３は、設置信号３０ｃを受信した際に初期設定情報等を電力量計１に送信することで、電力量計１を速やかに運用できる状態にすることが出来る。
【００４３】
また、本実施形態では、漏洩電流に基づいて判明される異常状態が電力量計制御回路１９によって検出され、異常信号が外部通信機器２３へ通知される。このため、漏洩電流に基づいて判明される異常状態が、外部通信機器２３において速やかに確認される。
【００４４】
次に、本発明による電力量計を用いた第２の実施形態について説明する。この第２の実施形態による電力量計４０は、図５に示され、漏洩電流を計測する回路構成が上述した第１の実施形態による電力量計１と異なっているだけで、それ以外は同一の構成をしている。従って、この第２の実施形態による電力量計４０の以下の説明においては、第１の実施形態による電力量計１の各構成要素と同一または相当する構成要素には同一の符号を用いてその説明は省略する。
【００４５】
つまり、上記の第１の実施形態においては、漏洩電流はＺＣＴ２０及び漏洩電流計測回路２１によって計測されていたが、本実施形態においては、ＣＴ１６ａ，１６ｂ，１６ｃ及び漏洩電流計測回路２１によって漏洩電流が計測される。すなわち、本実施形態においては、１側電線Ｌ１及び３側電線Ｌ３だけでなく、中性線ＮにもＣＴ１６ｃが設けられており、各ＣＴ１６ａ，１６ｂ，１６ｃはそれぞれ漏洩電流計測回路２１に接続されている。
【００４６】
上記の回路構成において、各ＣＴ１６ａ，１６ｂ，１６ｃによって個別に検出される各相の負荷電流は、漏洩電流計測回路２１に送出され、この漏洩電流計測回路２１において各負荷電流の総和から漏洩電流が計測される。なお、この第２の実施形態では、漏洩電流計測回路２１において、漏洩電流が生じていないときに各負荷電流の総和が零になるように、ゼロ調整、あるいはオフセットの補正などの作業が必要になる。
【００４７】
このような本発明の第２の実施形態による電力量計４０においても、上述した第１の実施形態と同様の作用、効果が得られる。
【００４８】
なお、上述した第１、第２の各実施形態においては、単相３線式の電力量計を用いた場合について説明しているが、３相３線式などの多線式電力量計を用いても、上記の各実施形態と同様の作用、効果が得られる。
【００４９】
また、上記の各実施形態においては、外部通信機器２３を自動検針システムのホストコンピュータとした場合について説明したが、本発明はこれに限定されることはない。例えば、外部通信機器２３はパーソナルコンピュータ（パソコン）としたり、専用端末や他の通信機器でもよい。
【００５０】
また、上記の各実施形態においては、ＣＴを用いて各相における負荷電流の検出を行っているが、他の方法、例えば、ホール素子を用いて負荷電流の検出を行ってもよい。また、上記の各実施形態においては、停電時に失われた年月日及び時刻情報などは、復電時に外部通信機器２３から送信されることで再設定が行われるが、他の方法として、バッテリーなどの補助電源によって時計回路２５を動作させる方法、電源周波数をカウントして時刻情報を更新する方法、または電気二重層コンデンサを使用して時計回路２５を動作させる方法などを用いてもよい。
【００５１】
【発明の効果】
以上説明したように本発明による電力量計によれば、電力量計内の漏洩電流検出手段によって負荷側における漏洩電流が検出され、電力量計内の電力量計測手段によって各相毎の個別電力量が計測される。このため、電力量計単体で漏洩電流及び各相毎の個別電力量の計測を行うことが出来、電力量計単体で負荷側の絶縁劣化状況及び各相についての負荷配分の偏りを診断出来るようになる。また、電力量計の他に新たに機器を設置する必要がないので、設置にかかる手間がなくなって工事費用は少なくて済むとともに、メンテナンスも電力量計だけについて行えばよいのでその手間もかからなくなる。
【００５２】
また、各相毎の個別電力量及び漏洩電流の計測データを外部へ送信する通信手段を備えている構成の場合、電力量計は、電力量計内部で計測された個別電力量及び漏洩電流の計測データを外部へ送信することができる。このため、外部に接続された装置において個別電力量及び漏洩電流を遠隔監視することが出来る。従って、外部装置において個別電力量や漏洩電流の推移を監視することにより、配電設備の絶縁劣化が進行する前に事前に対策を講じたり、負荷配分の偏りが定常的に生じて特定の相についての配電設備に負荷が定常的にかかって劣化するのを事前に防止したりすることを容易に行うことが出来る。この結果、配電設備の予防保全を行うことが可能となり、従って、例えば、劣化部の影響により、電子機器やシステムが突然停止して損害が生じるのを事前に防止したりすることができる。
【００５３】
また、時間を計時する時計回路と、計測データを記憶する記憶手段とを備えている構成の場合、所定時間間隔で計測された漏洩電流及び個別電力量の計測データが計測時刻と共に記憶手段に記憶され、この記憶手段に記憶された計測データが外部へ送信される。このため、外部に接続された装置において各時間帯における計測データの推移を知ることができる。従って、各時間帯毎の負荷配分の偏りや、各時間帯毎の漏洩電流の大きさを知ることが出来、負荷配分の偏りや漏洩電流発生の原因を分析する資料とすることが出来る。
【００５４】
また、通信手段が、外部機器から送信要求信号を受信すると、計測データを外部機器へ送信する構成の場合、外部からの送信要求に応じて計測データが外部機器へ送信される。このため、外部機器において、需要家の使用電力量を自動検針することが出来るとともに、併せて、需要家における個別電力量及び漏洩電流を監視することができる。
【００５５】
また、電力量計の取り外しを検出する交換用信号検出手段または電力量計の設置を検出する設置信号検出手段を備え、通信手段が、交換用信号検出手段によって検出された交換用信号または設置信号検出手段によって検出された設置信号を外部へ通知する構成の場合、電力量計が取り外されるとき、交換用信号検出手段によって交換用信号が検出され、この交換用信号が外部へ通知される。また、電力量計が設置されるとき、設置信号検出手段によって設置信号が検出され、この設置信号が外部へ通知される。このため、電力量計を取り外す際、交換用信号が外部に接続された装置へ送信されることで、外部装置は電力量計が取り外されることを知ることが出来る。従って、外部装置は、電力量計の記憶手段に記憶されている蓄積された計測データなどを受信することで、これをバックアップしておくことができる。また、電力量計を設置する際、設置信号が外部に接続された装置へ送信されることで、外部装置は電力量計が設置されたことを知ることができる。従って、外部装置は、初期設定情報を電力量計に送信することで、電力量計を速やかに運用できる状態にすることが出来る。
【００５６】
また、漏洩電流に基づいて判明される異常状態を検出する異常検出手段を備え、通信手段が、異常検出手段によって検出された異常信号を外部へ通知する構成の場合、漏洩電流に基づいて判明される異常状態が発生すると、異常検出手段によって異常信号が検出され、この異常信号が通信手段によって外部へ通知される。このため、漏洩電流に基づいて判明される異常状態が、外部に接続された装置において速やかに確認される。
【図面の簡単な説明】
【図１】本発明の第１及び第２の実施形態による電力量計が設置された需要家の分電盤の構成を示す概略図である。
【図２】本発明の第１及び第２の実施形態による電力量計の構成を示す概略図である。
【図３】本発明の第１の実施形態による電力量計の内部構成を示すブロック図である。
【図４】本発明の第１及び第２の実施形態による電力量計と外部通信機器との間の通信処理動作を示しており、（ａ）は電力量計の取り外し時、（ｂ）は電力量計の設置時を示している。
【図５】本発明の第２の実施形態による電力量計の内部構成を示すブロック図である。
【符号の説明】
１，４０…電力量計
５ａ，５ｂ，５ｃ…負荷
１０，１１，１２…電源端子
１３，１４，１５…負荷端子
１６ａ，１６ｂ…ＣＴ
１７ａ，１７ｂ…ＰＴ
１８ａ，１８ｂ…電力量計測回路
１９…電力量計制御回路
２０…ＺＣＴ
２１…漏洩電流計測回路
２２…外部接続端子
２３…外部通信機器
２４…通信処理回路
２５…時計回路
２６…記憶装置
２７…信号線
Ｌ１…１側電線
Ｌ３…３側電線
Ｎ…中性線
【図１】
2004286687.tif 000003
【図２】
2004286687.tif 000004
【図３】
2004286687.tif 000005
【図４】
2004286687.tif 000006
【図５】
2004286687.tif 000007